【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
携帯端末と、該携帯端末が通信回線を介して接続可能なサーバと、を具備するシステムであって、
前記携帯端末は、
プログラムを実行することにより作成され、かつ、前記サーバに設けられた第１のデータベースに管理された顧客情報に基づいて前記サーバによってあらかじめ定められた取扱基準に合致するか否かが判定される保険契約の複数の設計内容をそれぞれ設計番号と関連づけて格納する記憶部と、
該記憶部に格納された前記設計番号の中から選択された設計番号に関連づけられた設計内容による保険契約の申込手続を行うための申込画面を制御する画面制御部と、
前記申込画面内の入力項目に入力を行うための入力部と、
を備え、
前記サーバは、
各設計内容があらかじめ定められた取扱基準に合致するか否かの判定を行う判定部と、
前記携帯端末に送信される各契約者の顧客情報を管理する前記第１のデータベースと、
設計番号、診査区分及び告知内容を管理番号に関連づけて格納する第２のデータベースと、を備え、
前記画面制御部は、
告知書への記入を選択肢として含む画面を前記申込画面に表示し、
前記告知書への記入が選択された場合に、告知書フォームを前記申込画面に表示し、
前記告知書フォームに入力された告知内容は、前記携帯端末から前記サーバに送信され、管理番号に関連づけて前記第２のデータベースに格納される、
ことを特徴とするシステム。
【請求項２】
前記画面制御部は、告知書への記入及び面接士との面接を選択肢として含む画面を前記申込画面に表示する、ことを特徴とする請求項１に記載のシステム。
【請求項３】
前記告知書フォームへの入力は、デジタルペンにより紙媒体の告知書に手書きで記載された告知内容が、無線通信により前記デジタルペンから前記携帯端末に送信されることにより行われる、ことを特徴とする請求項１又は請求項２に記載のシステム。
【請求項４】
締結された保険契約の設計内容を特定する設計番号が、前記携帯端末から決済端末に送信される、ことを特徴とする請求項１又は請求項２に記載のシステム。
【請求項５】
前記複数の設計内容は、前記サーバから前記携帯端末に送信されたものである、ことを特徴とする請求項１から請求項４のいずれかに記載のシステム。
【請求項６】
前記判定部は、前記サーバが各設計内容を前記携帯端末に送信する前に、各設計内容があらかじめ定められた取扱基準に合致するか否かの判定を行う、ことを特徴とする請求項１から請求項５のいずれかに記載のシステム。
【請求項７】
前記サーバは、前記判定部による前記判定の結果が肯定的な場合にのみ各設計内容の前記携帯端末への送信を許可する、ことを特徴とする請求項１から請求項６のいずれかに記載のシステム。
【請求項８】
前記判定部は、前記複数の設計内容のいずれかに基づく設計書の試算命令を前記サーバが前記携帯端末から受信したときに前記判定を行い、
前記サーバは、前記判定部による前記判定の結果が肯定的な場合にのみ試算結果の前記申込画面への表示及び前記設計書の印刷を許可する、ことを特徴とする請求項１から請求項７のいずれかに記載のシステム。
【請求項９】
前記判定部は、さらに前記顧客情報に基づいて前記判定を行う、ことを特徴とする請求項１から請求項８のいずれかに記載のシステム。
【請求項１０】
前記携帯端末の前記入力部により入力された申込内容は、前記選択された設計番号と関連づけて前記記憶部に記憶され、
前記携帯端末は、前記記憶部に記憶された前記申込内容を前記サーバに送信する送信部をさらに備える、ことを特徴とする請求項１から請求項９のいずれかに記載のシステム。
【請求項１１】
前記携帯端末の前記入力部により入力された申込内容は、前記選択された設計番号と関連づけて前記記憶部に記憶され、
前記携帯端末は、前記記憶部に記憶された前記申込内容を前記サーバに送信する送信部をさらに備え、
前記送信部は、医務査定の診査区分が前記入力部により入力されるのに応じて、前記記憶部に記憶された前記選択された設計番号及び前記診査区分を、前記サーバに送信し、
前記サーバは、受信した前記選択された設計番号及び前記診査区分を、引受査定を行う各案件の情報を格納する前記第２のデータベースに格納する、ことを特徴とする、請求項１から請求項１０のいずれかに記載のシステム。
【請求項１２】
各設計内容の送信とともに、前記第１のデータベースに格納された前記顧客情報が前記サーバから前記携帯端末に送信される、ことを特徴とする請求項１から請求項１１のいずれかに記載のシステム。
【請求項１３】
前記画面制御部は、営業職員が操作を行う画面と契約者が操作を行う画面とで基調色を変更する、ことを特徴とする請求項１から請求項１２のいずれかに記載のシステム。
【請求項１４】
前記画面制御部は、前記申込画面内に、前記携帯端末の前記入力部により入力された申込内容の意向確認及び契約申込の意思表示として、手書きによる署名のための署名領域を設ける、ことを特徴とする請求項１から請求項１３のいずれかに記載のシステム。
【請求項１５】
前記画面制御部は、前記申込画面内に、前記携帯端末の前記入力部により入力された申込み内容の意向確認及び契約申込の意思表示として、医務査定の診査区分にかかわらず共通する申込内容の入力の最後に、手書きによる署名のための署名領域を設ける、ことを特徴とする請求項１から請求項１４のいずれかに記載のシステム。
【請求項１６】
前記画面制御部は、医務診査の診査区分が告知書扱である場合、告知書フォームを前記申込画面に表示する、ことを特徴とする請求項１から請求項１５のいずれかに記載のシステム。
【請求項１７】
前記画面制御部は、
前記申込画面内に、前記携帯端末の前記入力部により入力された申込内容の意向確認及び契約申込の意思表示として、手書きによる署名のための署名領域を設け、
医務診査の診査区分が告知書扱である場合、告知書フォームを、前記署名領域への契約者による署名の後に前記申込画面に表示する、ことを特徴とする請求項１から請求項１６のいずれかに記載のシステム。
【請求項１８】
前記画面制御部は、前記申込画面に表示される告知書フォームの入力項目のうち、前記選択された設計番号に応じて入力が必要な項目を色づけする、ことを特徴とする請求項１から請求項１７のいずれかに記載のシステム。
【請求項１９】
前記画面制御部は、それまでに入力された申込内容に基づいて、前記申込画面に表示される入力項目を切り替える、ことを特徴とする請求項１から請求項１８のいずれかに記載のシステム。
【請求項２０】
通信回線を介してサーバと接続可能な携帯端末であって、
プログラムを実行することにより作成され、かつ、前記サーバに設けられた第１のデータベースに管理された顧客情報に基づいて前記サーバによってあらかじめ定められた取扱基準に合致するか否かが判定される保険契約の複数の設計内容をそれぞれ設計番号と関連づけて格納する記憶部と、
該記憶部に格納された前記設計番号の中から選択された設計番号に関連づけられた設計内容による保険契約の申込手続を行うための申込画面を制御する画面制御部と、
前記申込画面内の入力項目に入力を行うための入力部と
を備え、
前記サーバは、
各設計内容があらかじめ定められた取扱基準に合致するか否かの判定を行う判定部と、
前記携帯端末に送信される各契約者の顧客情報を管理する前記第１のデータベースと、
設計番号、診査区分及び告知内容を管理番号に関連づけて格納する第２のデータベースと、を備え、
前記画面制御部は、
告知書への記入を選択肢として含む画面を前記申込画面に表示し、
前記告知書への記入が選択された場合に、告知書フォームを前記申込画面に表示し、
前記告知書フォームに入力された告知内容は、前記携帯端末から前記サーバに送信され、管理番号に関連づけて前記第２のデータベースに格納される、
ことを特徴とする携帯端末。
【請求項２１】
通信回線を介して携帯端末と接続可能なサーバであって、
各設計内容による設計内容があらかじめ定められた取扱基準に合致するか否かの判定を行う判定部と、
前記携帯端末に送信される各契約者の顧客情報を管理する第１のデータベースと、
設計番号、診査区分及び告知内容を管理番号に関連づけて格納する第２のデータベースと、を具備し、
前記携帯端末は、
プログラムを実行することにより作成され、かつ、前記第１のデータベースに管理された顧客情報に基づいて前記サーバによってあらかじめ定められた取扱基準に合致するか否かが判定される保険契約の複数の設計内容をそれぞれ設計番号と関連づけて格納する記憶部と、
該記憶部に格納された前記設計番号の中から選択された設計番号に関連づけられた設計内容による保険契約の申込手続を行うための申込画面を制御する画面制御部と、
前記申込画面内の入力項目に入力を行うための入力部と
を具備し、
前記画面制御部は、
告知書への記入を選択肢として含む画面を前記申込画面に表示し、
前記告知書への記入が選択された場合に、告知書フォームを前記申込画面に表示し、
前記告知書フォームに入力された告知内容は、前記携帯端末から前記サーバに送信され、管理番号に関連づけて前記第２のデータベースに格納される、
ことを特徴とするサーバ。
【請求項２２】
各設計内容があらかじめ定められた取扱基準に合致するか否かの判定を行う判定部と、携帯端末に送信される各契約者の顧客情報を管理する第１のデータベースと、設計番号、診査区分及び告知内容を管理番号に関連づけて格納する第２のデータベースと、を具備するサーバと、
該サーバに通信回線を介して接続可能な携帯端末と、
の間において行われる方法であって、
前記携帯端末が、プログラムを実行することにより作成され、かつ、前記第１のデータベースに管理された顧客情報に基づいて前記サーバによってあらかじめ定められた取扱基準に合致するか否かが判定される保険契約の複数の設計内容をそれぞれ設計番号と関連づけて記憶部に格納するステップと、
前記携帯端末が、該記憶部に格納された前記設計番号の中から選択された設計番号に関連づけられた設計内容による保険契約の申込手続を行うための申込画面を制御するステップであって、告知書への記入を選択肢として含む画面を前記申込画面に表示すること、及び、前記告知書への記入が選択された場合に、告知書フォームを前記申込画面に表示すること、を含むステップと、
前記携帯端末が、前記申込画面内の入力項目に入力を行うステップと、
前記携帯端末が、前記告知書フォームに入力された告知内容を前記サーバに送信するステップと、
前記サーバが、前記携帯端末から受信した前記告知内容を管理番号に関連づけて前記第２のデータベースに格納するステップと、
を含むことを特徴とする方法。